(57)【要約】【課題】回転体と装置本体との間に生じる隙間からの塵芥の漏れを極力防止するとともに、回転体による上方への塵芥の搬送、並びに貯留槽への塵芥の投入を円滑に行うことができる塵芥投入装置を提供する。【解決手段】貯留槽Ａに塵芥を投入する塵芥投入装置１であって、装置本体２に対して回転体３が水平軸２ａを中心に回転自在に設けられ、回転体３は、内部に塵芥が収容可能なように内側が開口されたドーナツ状でその後側面３２が閉塞されるとともに、内部には下方に設けられた投入手段５を通じて収容された塵芥を上方に搬送する搬送手段４が設けられ、後側面３２には搬送手段４に対応して挿通口３３が形成されるとともに、後側面３２に対峙して設けられた装置本体２の壁面上部には排出口２２が形成され、搬送手段４によって上方に搬送した塵芥を挿通口３３、排出口２２、排出シュート２３を通じて貯留槽Ａに投入するように構成されている。【選択図】  図１
2006016140.tif 000002
【特許請求の範囲】
【請求項１】
貯留槽の上部もしくは側面に設けられた投入部を通じて当該貯留槽に塵芥を投入する塵芥投入装置であって、
装置本体に対して回転体が水平軸を中心に所定の方向に回転自在に設けられ、該回転体は、内部に塵芥が収容可能なように内側が開口されたドーナツ状でその後側面が閉塞されるとともに、当該内部には下方に設けられた投入手段を通じて収容された塵芥を上方に搬送する少なくとも１つの搬送手段が設けられ、上記後側面には搬送手段に対応して挿通口が形成される一方、この後側面に対峙して設けられた装置本体の壁面上部には排出口が形成されるとともに、この排出口に排出シュートが連設され、搬送手段によって上方に搬送した塵芥を回転体の挿通口から排出口、さらに排出シュートを通じて貯留槽に投入するように構成されたことを特徴とする塵芥投入装置。
【請求項２】
前記排出口には、その下端縁から前記挿通口下方に挿入配置され、塵芥を挿通口から排出口に案内するガイド片が突設されたことを特徴とする請求項１記載の塵芥投入装置。
【請求項３】
前記搬送手段により塵芥を上方に搬送する回転体の搬送経路とは反対の経路側に当該回転体を回転駆動する駆動手段が配設されたことを特徴とする請求項１又は２記載の塵芥投入装置。
【請求項４】
前記装置本体には、回転体内において中心部側に突出した塵芥を切断する切断部材が設けられたことを特徴とする請求項１、２又は３記載の塵芥投入装置。
【発明の詳細な説明】
【技術分野】
【０００１】
本発明は、塵芥投入装置に関し、特に水平軸を中心に回転する回転体により塵芥を下方から上方に搬送して投入する回転式の塵芥投入装置に関するものである。
【背景技術】
【０００２】
従来、装置本体に対して回転体が水平軸を中心に所定の方向に回転自在に設けられ、回転体の回転動作に伴って当該回転体に設けられた平面羽根により塵芥をすくい上げるとともに傾斜羽根により中心側に滑らせることにより、当該塵芥を装置本体下部から上方に搬送しこの上部に形成された排出口から貯留槽などに投入する塵芥投入装置が提供されている（例えば、特許文献１参照。）。
【特許文献１】特開２００４−１２３３７２号公報
【発明の開示】
【発明が解決しようとする課題】
【０００３】
しかしながら、上述した従来の塵芥投入装置では、回転体は投入口を有する一端面と排出口を有する他端面とで閉塞された状態で装置本体内に収容されており、この回転体の回転動作によって投入口から投入した塵芥を上方に搬送して排出口から排出することによって貯留槽に投入している。
【０００４】
このため、装置本体と回転体との間には当該回転体の回転を許容するための隙間が形成されており、この隙間を通じて細かな塵芥などが回転体から装置本体側に漏れ出し易い構造になっていた。また、上方に搬送された塵芥が排出口から排出する際には上記隙間を必ず通過することになるため、この隙間を通じて細かな塵芥などが回転体から装置本体側に漏れ出すという問題が顕著に現れる。
【０００５】
本発明は、上記問題点に鑑みてなされたもので、その目的とするところは、回転体と装置本体との間に生じる隙間からの塵芥の漏れを極力防止するとともに、回転体による上方への塵芥の搬送、並びに貯留槽への塵芥の投入を円滑に行うことができる塵芥投入装置を提供することにある。
【課題を解決するための手段】
【０００６】
上記の目的を達成するため、請求項１に係る発明の塵芥投入装置は、貯留槽の上部もしくは側面に設けられた投入部を通じて当該貯留槽に塵芥を投入する塵芥投入装置であって、装置本体に対して回転体が水平軸を中心に所定の方向に回転自在に設けられ、該回転体は、内部に塵芥が収容可能なように内側が開口されたドーナツ状でその後側面が閉塞されるとともに、当該内部には下方に設けられた投入手段を通じて収容された塵芥を上方に搬送する少なくとも１つの搬送手段が設けられ、上記後側面には搬送手段に対応して挿通口が形成される一方、この後側面に対峙して設けられた装置本体の壁面上部には排出口が形成されるとともに、この排出口に排出シュートが連設され、搬送手段によって上方に搬送した塵芥を回転体の挿通口から排出口、さらに排出シュートを通じて貯留槽に投入するように構成されたものである。
【０００７】
請求項２に係る発明の塵芥投入装置は、前記排出口には、その下端縁から前記挿通口下方に挿入配置され、塵芥を挿通口から排出口に案内するガイド片が突設されたものである。
【０００８】
請求項３に係る発明の塵芥投入装置は、前記搬送手段により塵芥を上方に搬送する回転体の搬送経路とは反対の経路側に当該回転体を回転駆動する駆動手段が配設されたものである。
【０００９】
請求項４に係る発明の塵芥投入装置は、前記装置本体には、回転体内において中心部側に突出した塵芥を切断する切断部材が設けられたものである。
【発明の効果】
【００１０】
本発明によれば、回転体の後側面を閉塞して挿通口のみが装置本体側と連通するようにしたので、回転体側に収容される塵芥が装置本体側に漏れ出すのを極力防止することができる。また、回転体から排出シュートを通じて貯留槽に塵芥を投入する際において、塵芥や汚汁などを挿通口からガイド片によって支持しながら排出シュートに導くことができるので、両者に生じる隙間からの塵芥や汚汁などの落下を確実に防止することができる。
【発明を実施するための最良の形態】
【００１１】
以下、本発明の実施の形態について図面を参照して説明する。
【００１２】
図１は、本発明の塵芥投入装置を示している。
【００１３】
塵芥投入装置１は、貯留槽Ａの一端部に設けられた投入部Ａ１に連結されたシュートＡ２を通じて当該貯留槽Ａに塵芥を投入するためのものである。
【００１４】
上記貯留槽Ａとしては、例えば図示例のようにドラムが水平軸回りに回転自在に設けられており、塵芥投入装置１によってシュートＡ２を通じて塵芥をドラム内に導入し、このドラムの回転動作により内部に設けたブレードの作用でシュートＡ１と反対側の排出口側に搬送して圧縮しながら貯留し、この貯留した塵芥を排出口から適宜に排出するようにしている。
【００１５】
以下、塵芥投入装置１について説明する。
【００１６】
この塵芥投入装置１は、前記貯留槽Ａに連設された装置本体２と、装置本体２内に水平軸２ａを中心に所定の方向に回転自在に設けられた回転体３と、回転体３に設けられた搬送手段としての複数の搬送部材４とを備えている。
【００１７】
装置本体２は、角筒状に形成されており、その軸芯が水平方向となるように配置されている。
【００１８】
そして、この装置本体２において、貯留槽Ａと反対側となる一端面（図１において左端面）の下部には投入口２１が形成されるとともに、他端面の上部には排出口２２が形成されている。
【００１９】
上記投入口２１は、その前方に投入手段５が設けられており、この投入手段５によって塵芥を投入口２１を通じて回転体３内に収容するようにしている。
【００２０】
投入手段５は、回転体３の前方に近接配置された投入プレートＢに形成された投入口５１が開閉蓋５２により開閉自在に設けられるとともに、当該投入口５１及び投入口２１の下端縁間にシュート５３が架設され、開閉蓋５２の開放により塵芥を投入口５１、シュート５３、投入口２１を通じて回転体３内に収容するようにしている。
【００２１】
そして、この塵芥投入装置１は、前方に配設された壁体Ｂ１によって外部と隔離されており、この壁体Ｂ１の開口に上記投入プレートＢが設けられている。
【００２２】
上記排出口２２は、図４及び図５に示すようにその周縁外方に排出シュート２３が当該周縁を覆うようにして連設されている。この排出シュート２３は、その内側下面が回転体３の後述するシュート部４１ａから導入される塵芥を貯留槽Ａ内に投入するシュート面２３ａになされている。
【００２３】
前記回転体３は、装置本体２の中心部に設けられた水平軸２ａによって回転自在に支持されている。
【００２４】
具体的には、回転体３は、内側が開口３１されたドーナツ状に形成されるとともに、その後側面３２（図４参照）が閉塞されており、上記投入手段５から内側開口３１を通じて内部に塵芥が収容可能になされている。
【００２５】
そして、このようにして構成された回転体３は駆動手段によって図２において時計周りの方向に回転するようにされている。
【００２６】
搬送部材４は、回転体３内に収容された塵芥を上方に搬送するためのもので、例えば図３に示すように円周方向に４つが等間隔（９０°ピッチ）に配設されている。
【００２７】
具体的には、搬送部材４は、図２に示すように回転体３の前側環状面３ａ内周縁から後側面３２中心部寄りに傾斜して設けられた傾斜板４１と、回転体３の回転方向と反対側となる傾斜板４１の一端に設けられて回転体３内の傾斜板４１よりも外側を遮断する遮断板４２とで鉤状に形成されている。
【００２８】
また、搬送部材４を設けた回転体３の後側面３２の部位には挿通口３３が形成されている。この挿通口３３は、回転体３の回転方向に対して上記遮蔽板４２の前側に形成されており、回転体３の回転動作によって前記装置本体２の排出口２２が形成された上方位置に達した際には当該排出口２２と対峙するように形成されている。
【００２９】
そして、上記傾斜板４１は、挿通口３３が排出口２２と対峙した際には回転体３内において前側から後側面３２に亘って下方に傾斜したシュート部４１ａを形成し、このシュート部４１ａから塵芥を挿通口３３、排出口２２を通じてシュート面２３ａ上に排出するようにしている。
【００３０】
ところで、前記排出口２２の下端縁には前記挿通口３３内側に挿入配置されたガイド片２５が突設されている。
【００３１】
具体的には、図４に示すように回転体３の後側面３２の中心部に凹部３２ａが形成されており、この凹部３２ａ内にガイド片２５が挿入配置されることで、装置本体２に対する回転体３の回転を許容した上で、シュート部４１ａとシュート面２３ａとをガイド片２５によってオーバーラップさせた状態で配置させることができ、これによりシュート部４１ａとシュート面２３ａとの間に生じる隙間からの塵芥や汚汁などの落下を確実に防止することができる。
【００３２】
上記駆動手段は、前記水平軸２ａの一端にスプロケット・チェーンなどからなる伝達機構６１を介して連繋された駆動モータ６からなり、この駆動モータ６は塵芥を上方に搬送する回転体３の搬送経路とは反対の経路側に設けられている。つまり、図２では正面に向かって左側が塵芥の搬送経路となっており、この結果、駆動モータ６をその反対側の右側（図２参照）に配設している。なお、駆動モータ６は、搬送経路とは反対の上記右側であれは図２に一点鎖線で示すような上部の空隙を利用して設けてもよい。
【００３３】
また、装置本体２の一端面には、回転体３内に突出した切断部材７が設けられている。これは復元力の大きな段ボールや緩衝材を前記投入手段５を通じて回転体３内に投入した場合、当該回転体３内においてこれら段ボール等が復元して前記挿通口３３を挿通できない位に中心部側に大きく膨れ上がることが生じる。従って、このように復元力によって膨れ上がった塵芥を上方への搬送に伴って切断部材７で所定の大きさに切断することで、これら段ボールなどの塵芥の搬送及び排出を円滑に行うことができるようにしている。つまり、切断部材７は、塵芥を上方に搬送する回転体３の搬送経路側に設けられている。
【００３４】
次に、このように構成された塵芥投入装置１による貯留槽Ａへの塵芥の投入動作について説明する。
【００３５】
まず、開閉蓋５２を開放して投入口５１に塵芥を投入し、シュート５３を通じて当該塵芥を各搬送部材４で区画された回転体３内の下部に収容する。
【００３６】
このように塵芥を回転体３内に収容すると、駆動モータ６を回転駆動させて回転体３を図２において時計回りの方向に回転させる。この回転体３の回転に伴って塵芥は下部に達した搬送部材４によって上方に搬送され、挿通口３３と排出口２２とが合致することによって、シュート部４１ａから塵芥を挿通口３３、排出口２２を通じてシュート面２３ａ上に排出し、当該シュート面２３ａから貯留槽Ａ内に投入する。
【００３７】
この場合、回転体３は、回転体３の下部に収容された塵芥を搬送部材４によって上方に搬送してシュートＡ２に投入できるように回転させる必要があり、例えば一回転させて停止させるようにすればよい。この場合、回転体３の停止位置の位置決めは、例えば駆動モータ６の回転数を検出装置で検出することで行ってもよいし、リミットスイッチ、近接センサや光電センサなどの検出装置を用いて行うようにしてもよい。
【００３８】
また、回転体３の回転作動は、開閉蓋５２の一回ごとの開閉動作に連動して行うようにすればよい。また、開閉蓋５２を予め設定した適数回開閉した時に回転体３を回転させるようにしてもよい。つまり、開閉蓋５２の一回の開放による塵芥の投入可能量から全体の投入量を概算できるので、これに基づいて開閉蓋５２の開閉回数を設定し、設定回数に達すれば回転体３を回転させるようにしてもよい。この場合、リミットスイッチや近接センサなどの検出装置（図示省略）によって開閉蓋５２の開閉を検出し、この検出結果に基づいて回転体３の回転作動を行うようにすればよい。さらに、スイッチ操作によって回転体３の回転作動を行うようにしてもよい。
【００３９】
そして、このように塵芥投入装置１を構成することによって以下のような効果を奏することができる。
【００４０】
回転体３の後側面３２を閉塞してこの後側面３２によって装置本体２と区画し、挿通口３３のみが装置本体２側と連通するようにしたので、回転体３側に収容される塵芥が装置本体２側に漏れ出すのを極力防止することができる。
【００４１】
また、回転体３から排出シュート２３を通じて貯留槽Ａに塵芥を投入する際において、塵芥や汚汁などをシュート部４１ａからガイド片２５によって支持しながらシュート面２３ａに導くことができシュート部４１ａとシュート面２３ａとの間に生じる隙間からの塵芥や汚汁などの落下を確実に防止することができる。
【００４２】
さらに、塵芥を上方に搬送する回転体３の搬送経路とは反対の経路側に駆動モータ６を設けていることから、仮に塵芥や汚汁などが装置本体２と回転体３との間の隙間から漏れ出たとしても、これら塵芥や汚汁などが駆動モータ６にかかって悪影響を及ぼすことがなく、塵芥や汚水などに起因する駆動モータ６の故障発生を確実に防止することができる。
【００４３】
また、装置全体の前後幅を極力薄くすることができ、これにより装置全体の小型化を図ることができ、設置スペースの省スペース化も図ることができる。
【００４４】
さらに、投入手段５から回転体３内への塵芥の投入を連続的に行うことができるので、塵芥を効率良く投入することができる。
【００４５】
また、回転体２の下部に配置した投入手段５を通じて塵芥を投入するようにしているため、投入者の塵芥投入位置を極力低くすることができ、これにより塵芥の投入が容易になりバリアフリーにも対応することができる。
【００４６】
なお、上述した実施形態は、あくまでも本発明の好適な実施態様を示すものであって、本発明はこれに限定されることなく、その範囲内において種々設計変更可能である。
【００４７】
例えば、搬送部材４は４つに限らず、装置の規模などに応じて適数設ければよい。
【００４８】
また、塵芥投入装置１によって塵芥を投入する貯留槽Ａは、回転自在なドラムに限らず、塵芥投入装置１によって上部の投入部から投入された塵芥を内部に貯留するものであれば何でもよい。
【図面の簡単な説明】
【００４９】
【図１】本発明の塵芥投入装置を示す縦断面図である。
【図２】同じく塵芥投入装置を示す一部を省略した斜視図である。
【図３】塵芥投入装置の各構成部材を示す前側から見た分解斜視図である。
【図４】塵芥投入装置の各構成部材を示す後側から見た分解斜視図である。
【図５】内部に回転体を設けた装置本体を示す背面図である。
【符号の説明】
【００５０】
１  塵芥投入装置
２  装置本体
２ａ  水平軸
２２  排出口
２３  排出シュート
２５  ガイド片
３  回転体
３２  後側面
３３  挿通口
４  搬送部材（搬送手段）
５  投入手段
６  駆動モータ（駆動手段）
７  切断部材
Ａ  貯留槽
【図１】
2006016140.tif 000003
【図２】
2006016140.tif 000004
【図３】
2006016140.tif 000005
【図４】
2006016140.tif 000006
【図５】
2006016140.tif 000007